(57)【要約】【課題】引出用空間の上方に延びる上部収納空間を有効に利用できるキャビネットを提供すること。【解決手段】引出体収納空間２６は、左右側方に延びる第１の収納空間２４と、この第１の収納空間２４の側方に連通するとともに第１の収納空間２４よりも上方に延びる第２の収納空間２５と、から形成され、引出体１１は、第１の収納空間２４に収納される第１の収納部１１’と、この第１の収納部１１’の側方に設けられ、第２の収納空間２５に収納される第２の収納部２３と、から構成され、移動支持手段１８ａ，１８ｂは、第１の収納空間２４において第１の収納部１１’を移動自在に支持している。【選択図】図３
2008245914.tif 000002
【特許請求の範囲】
【請求項１】
上面が開口する略箱状に設けられた引出体が、本体の内部に形成された引出体収納空間に収納される収納位置と、該収納位置から前記本体の外方に向けて引き出された引出位置と、の間で移動支持手段を介して移動自在に支持されたキャビネットであって、
前記引出体収納空間は、左右側方に延びる第１の収納空間と、該第１の収納空間の側方に連通するとともに該第１の収納空間よりも上方に延びる第２の収納空間と、から形成され、
前記引出体は、前記第１の収納空間に収納される第１の収納部と、該第１の収納部の側方に設けられ、前記第２の収納空間に収納される第２の収納部と、から構成され、
前記移動支持手段は、前記第１の収納空間において前記第１の収納部を移動自在に支持していることを特徴とするキャビネット。
【請求項２】
前記第２の収納部の左右幅は、前記第２の収納空間の左右幅と略同寸に形成されていることを特徴とする請求項１に記載のキャビネット。
【請求項３】
前記第２の収納部の上下高さは、前記第２の収納空間の上下高さと略同寸に形成されていることを特徴とする請求項１または２に記載のキャビネット。
【請求項４】
前記第２の収納部は、前記第１の収納部の側端部に着脱自在に取り付けられていることを特徴とする請求項１ないし３のいずれかに記載のキャビネット。
【請求項５】
前記移動支持手段は、前記第１の収納部における少なくとも前記第２の収納部側の側部下面を支持していることを特徴とする請求項１ないし４のいずれかに記載のキャビネット。
【発明の詳細な説明】
【技術分野】
【０００１】
本発明は、上面が開口する略箱状に設けられた引出体が、本体の内部に形成された引出体収納空間に収納された収納位置と、この収納位置から本体の外方に向けて引き出された引出位置と、の間で移動自在に設けられたキャビネットに関する。
【背景技術】
【０００２】
従来のキャビネットとしてのキッチン台における引出体は、例えば、キッチン台の上部に設けられたシンク部の下方に形成された左右幅方向に延びる引出用空間に、前後方向にスライド可能に設けられている。更に、引出用空間の側端部寄りの上方には、比較的幅狭の上部収納空間が、引出用空間に連通して形成されている。この上部収納空間の前面側には、引出体の前板とは別体の前扉が、キッチン台本体の側板に扉取付部材によって開閉自在に取り付けられており、引出体の前板と前扉とを別々に引出すことにより、引出体が収納される引出用空間と、この引出用空間に連通した上部収納空間とを利用して、例えば、上下高さ寸法が大きいボトル等の収納物を横に寝かした状態でなくても収納することができるようにしている。（例えば、特許文献１参照）。
【０００３】
【特許文献１】特開２００６−２９６７５９号公報（第３頁、第１図）
【発明の開示】
【発明が解決しようとする課題】
【０００４】
しかしながら、特許文献１にあっては、引出用空間の左右幅方向の両端部に、引出体の本体に対する移動を支持する移動支持手段が設けられており、この移動支持手段が、上部収納空間下の収納部の一部を占有してしまっているので、上部収納空間の利用が望まれる比較的上下高さ寸法の大きいボトル等の左右幅寸が制限されてしまい、十分な収容容積を維持できていなかった。
【０００５】
本発明は、このような問題点に着目してなされたもので、引出用空間の上方に延びる上部収納空間を有効に利用できるキャビネットを提供することを目的とする。
【課題を解決するための手段】
【０００６】
前記課題を解決するために、本発明の請求項１に記載のキャビネットは、
上面が開口する略箱状に設けられた引出体が、本体の内部に形成された引出体収納空間に収納される収納位置と、該収納位置から前記本体の外方に向けて引き出された引出位置と、の間で移動支持手段を介して移動自在に支持されたキャビネットであって、
前記引出体収納空間は、左右側方に延びる第１の収納空間と、該第１の収納空間の側方に連通するとともに該第１の収納空間よりも上方に延びる第２の収納空間と、から形成され、
前記引出体は、前記第１の収納空間に収納される第１の収納部と、該第１の収納部の側方に設けられ、前記第２の収納空間に収納される第２の収納部と、から構成され、
前記移動支持手段は、前記第１の収納空間において前記第１の収納部を移動自在に支持していることを特徴としている。
この特徴によれば、移動支持手段が第１の収納空間において第１の収納部を移動自在に支持していることで、第２の収納空間に移動支持手段が配置されて空間が占有されることがないため、第２の収納部を極力大きく形成することができる。また、第１の収納部を移動することで該第１の収納部とともに第２の収納部が移動されることで、該第２の収納部に引出体としての支持強度を持たせる必要がないため、第２の収納部を比較的肉薄の部材等にて形成し、収納容量を極力大きくすることが可能となる。
【０００７】
本発明の請求項２に記載のキャビネットは、請求項１に記載のキャビネットであって、
前記第２の収納部の左右幅は、前記第２の収納空間の左右幅と略同寸に形成されていることを特徴としている。
この特徴によれば、第２の収納部の左右幅を、上方に延びる第２の収納空間の左右幅と略同寸に形成することで、第２の収納部内の左右幅寸法を大きく確保できるので、例えば、ボトル等の比較的左右幅寸法が大きい収納物であっても収納することができる。
【０００８】
本発明の請求項３に記載のキャビネットは、請求項１または２に記載のキャビネットであって、
前記第２の収納部の上下高さは、前記第２の収納空間の上下高さと略同寸に形成されていることを特徴としている。
この特徴によれば、第２の収納部の上下高さを、第１の収納空間よりも上方に延びる第２の収納空間の上下高さと略同寸に形成することで、第２の収納部内の上下高さ寸法を大きく確保できるので、例えば、ボトル等の比較的上下高さ寸法が大きい収納物であっても収納することができる。
【０００９】
本発明の請求項４に記載のキャビネットは、請求項１ないし３のいずれかに記載のキャビネットであって、
前記第２の収納部は、前記第１の収納部の側端部に着脱自在に取り付けられていることを特徴としている。
この特徴によれば、第２の収納部を第１の収納部とは個別に取り外すことができるので、第２の収納部の清掃等を容易に行うことができるばかりか、既存の引出体として構成された第１の収納部に、第２の収納部を後付けし、新規の引出体として構成することもできる。
【００１０】
本発明の請求項５に記載のキャビネットは、請求項１ないし４のいずれかに記載のキャビネットであって、
前記移動支持手段は、前記第１の収納部における少なくとも前記第２の収納部側の側部下面を支持していることを特徴としている。
この特徴によれば、移動支持手段が、第２の収納部にかかる荷重を該第２の収納部近傍にて支持することができるため、引出体の移動時における第２の収納部の安定性が向上する。
【発明を実施するための最良の形態】
【００１１】
本発明の実施例を以下に説明する。
【実施例】
【００１２】
本発明の実施例を図面に基づいて説明すると、先ず図１は、本発明の実施例におけるシステムキッチンの全体像を示す斜視図であり、図２は、引出体を示す斜視図であり、図３は、図２における引出体を示すＡ−Ａ正面断面図である。以下、図３の紙面手前側を引出体の正面側とし、図３の紙面左右側を引出体の左右側として説明する。
【００１３】
図１の符号１は、本発明の引出体１１が適用された、本実施例におけるキャビネットとしてのシステムキッチンである。このシステムキッチン１について説明すると、システムキッチン１の上部右側には使用者が食器等を洗うのに使用するシンク部２が設けられており、上部中央はシステムキッチン１上での作業スペース３、上部左側は調理を行うためのコンロ部４が設けられている。
【００１４】
また、システムキッチン１の下部は食器や食材等を収納しておくための収納部５が設けられている。具体的には、シンク部２の下部には引出収納部６，７、作業スペース３の下部には引出収納部８，９，１０、コンロ部４の下部には本実施例における引出体としての引出体１１、引出収納部１２がそれぞれ上下に連設されている。以下、この収納部５に設けられた本発明である引出体１１について説明する。
【００１５】
以下、引出体１１がシステムキッチン１の収納部５内に取り付けられている状態において、引出体１１の右側とは、使用者がシステムキッチン１の正面側に立って右側のことであり、引出体１１の左側とは、使用者がシステムキッチン１の正面側に立って左側のことであり、引出体１１の背面側とは、システムキッチン１を挟んで正面側と対向する側のことであるものとする。
【００１６】
図１及び図３に示すように、引出体１１は、システムキッチン１の本体内部に正面視略Ｌ字状に形成された引出体収納空間２６内に取り付けられており、引出体１１は、引出体収納空間２６に収納された収納位置と、この収納位置からシステムキッチン１の本体の外方に向けて引き出された引出位置と、の間で移動自在に設けられている。この引出体収納空間２６は、コンロ部４の下方で左右方向に形成された本実施例における第１の収納空間としての引出用空間２４と、この引出用空間２４の左方に連通するとともに引出用空間２４よりも上方に延びる本実施例における第２の収納空間としての補助用空間２５とで構成されている。すなわち、補助用空間２５は、引出用空間２４の左側方において形成され、引出用空間２４の高さ寸法よりも大なる高さ寸法を有しており、且つ、引出用空間２４と補助用空間２５とは連通している。引出体収納空間２６は、より具体的には、システムキッチン１本体側の側板２０ｂと側板２０ａとにより左右方向に仕切られるとともに、システムキッチン１天板及びコンロ部４により上方を仕切られ、引出体１１下方の引出収納部１２が収納される収納空間に連通している。
【００１７】
図２及び図３に示すように、引出体１１は、本実施例における第１の収納部としての引出収納部１１’と、本実施例における第２の収納部としての補助収納部２３と、から構成されている。このうち、引出収納部１１’について説明すると、引出収納部１１’は、底板１３と、この底板１３の左右両端に嵌合して取り付けられる一対の側板１４ａ，１４ｂと、これら底板１３及び側板１４ａ，１４ｂの後端に取り付けられる後板１５と、これら底板１３及び側板１４ａ，１４ｂの前端に取り付けられる前板１６とを備え、上面が開口した略箱状に形成されており、引出体収納空間２６における引出用空間２４内に配置されている。つまり、正面視左側に位置する側板１４ｂは、システムキッチン１本体側の側板２０ｂから右方向に内側に向けてオフセットされている。また、引出収納部１１’を構成する底板１３及び側板１４ａ，１４ｂは、補助収納部２３の構成部材に比べて肉厚に設けられている。更に、前板１６の正面には使用者が掴む把手１７が取り付けられており、前後方向に引出可能となっている。
【００１８】
また、側板１４ａ，１４ｂは、引出体１１を引き出した際に引出収納部１１’内に収納されている食器や食材等の収納物を取り出し易いように、上下寸法が比較的小さく形成されており、側板１４ａ，１４ｂ同士が対向する面はその上端にかけて緩やかな曲面に形成されている。
【００１９】
更に、側板１４ａ，１４ｂの上方にはそれぞれ円筒状のフレーム２２ａ，２２ｂが前後方向に渡設されており、前板１６は、正面視略Ｌ字状に形成される引出体収納空間２６を隠蔽するように、略同形の正面視略Ｌ字形に形成されている。
【００２０】
尚、図２及び図３に示すように、側板１４ａ，１４ｂはアルミやステンレス等の板材の曲げ加工により形成された部材であり、その内部は中空となっている。更に、引出収納部１１’の底面を構成する側板１４ａ，１４ｂの下部は、本実施例における移動支持手段としてのスライドレール１８ａ，１８ｂに前後方向に沿って形成されている。
【００２１】
これらスライドレール１８ａ，１８ｂは、左右対称の略同形状であって、下方を向く開口に連通する内空構造を有している。右側のスライドレール１８ａ内部には、一端側がシステムキッチン１本体側の仕切板２０ａに螺子２１で螺着された板片１９ａにおける正面視コ字状に屈曲された他端側が、引出用空間２４においてスライドレール１８ａが前後方向に摺動可能に係合されている。同様に、左側のスライドレール１８ｂ内部には、一端側がシステムキッチン１本体側の側板２０ｂに螺着された板片１９ｂにおける他端側が、引出用空間２４において係合されている。すなわち、引出体１１は、引出用空間２４において設けられたスライドレール１８ａ，１８ｂにより、システムキッチン１の本体に対して前後方向に移動可能となっている。また、正面視左側のスライドレール１８ｂは、引出収納部１１’における補助収納部２３側の側部下面を支持している。
【００２２】
尚、引出収納部１１’の側板１４ｂには後述する補助収納部２３が取り付けられるため、一端が側板２０ｂに螺着された板片１９ｂは、補助収納部２３を横切らないように、補助収納部２３の下方を迂回して配置されるとともに、補助収納部２３の左右幅の分だけ左右方向に長寸に延びて形成されている。
【００２３】
移動支持手段としてのスライドレール１８ａ，１８ｂが、引出用空間２４において引出収納部１１’を移動自在に支持していることで、補助用空間２５に移動支持手段が配置されて空間が占有されることがないため、補助収納部２３を極力大きく形成することができる。また、引出収納部１１’を移動することで、この引出収納部１１’とともに補助収納部２３が移動されることで、補助収納部２３に引出体としての支持強度を持たせる必要がないため、補助収納部２３を比較的肉薄の部材等にて形成し、収納容量を極力大きくすることが可能となる。
【００２４】
図２及び図３に示すように、補助収納部２３は、引出収納部１１’の側板１４ｂに着脱自在に取り付けられる部材であり、内部に収納物を収納可能な収納スペースが形成された上面が開口する略箱状に形成されている。具体的には、補助収納部２３の左側部は比較的肉薄の側板２３ａが形成されるとともに、補助収納部２３の右側部は、その先端を正面視略逆Ｕ字状の係止部２３ｂに形成されており、この係止部２３ｂを側板１４ｂに着脱自在に係止させることで補助収納部２３は補助用空間２５内に配置される。補助収納部２３は、スライドレール１８ａ，１８ｂにより支持された引出収納部１１’に取付けられ、引出収納部１１’とともに移動自在に設けられており、補助収納部２３自体は移動支持手段により支持されていないため、強度を有する肉厚の部材で構成する必要はなく、比較的肉薄の部材等にて形成されている。
【００２５】
また、正面視左側の側板１４ｂを内側にオフセットするとともに補助収納部２３の側板２３ａを肉薄の部材で構成し、この補助収納部２３の左右幅を、上方に延びる補助用空間２５の左右幅と略同寸に形成することで、補助収納部２３内の収納スペースの左右幅寸法を大きく確保できる。また、補助収納部２３の底部材を引出収納部１１’の底板１３よりも肉薄の部材で構成し、補助収納部２３の上下高さを、引出用空間２４よりも上方に延びる補助用空間２５の上下高さと略同寸に形成することで、補助収納部２３内の上下高さ寸法を大きく確保できるので、例えば、ボトル２７等の比較的左右幅寸法が大きく、且つ上下高さ寸法が大きい収納物であっても収納することができる。特に、例えば開栓したボトルのように、寝かせて収納し難い収納物を、立てた状態で補助収納部２３内に収納できるので、利便性が良い。
【００２６】
また、スライドレール１８ｂが、補助収納部２３にかかる荷重をこの補助収納部２３近傍にて支持することができるため、引出体１１の移動時における補助収納部２３の安定性が向上する。
【００２７】
尚、本実施例では補助収納部２３の係止部２３ｂを側板１４ｂに係止させているが、側板１４ｂ上方に渡設されているフレーム２２ｂに係止部２３ｂを係止させてもよい。
【００２８】
また、補助収納部２３を着脱自在にしたことによって、補助収納部２３を引出収納部１１’とは個別に引出用空間２４内から取り外すことができるので、補助収納部２３内の清掃等を容易に行うことができるばかりか、既存の引出体として構成された引出収納部１１’に、補助収納部２３を後付けし、新規の引出体１１として構成することもできる。
【００２９】
以上、本発明の実施例を図面により説明してきたが、具体的な構成はこれら実施例に限られるものではなく、本発明の要旨を逸脱しない範囲における変更や追加があっても本発明に含まれる。
【００３０】
例えば、前記実施例では、側板１４ａ，１４ｂをアルミやステンレス等の板材の曲げ加工により形成された部材であり、その内部は中空となっているとしたが、例えば木材や樹脂等の肉厚の部材でもよい。
【００３１】
また、前記実施例では、スライドレール１８ａ，１８ｂ内部にはシステムキッチン１の収納部５を縦に仕切るシステムキッチン１本体側の仕切板２０ａとシステムキッチン１本体側の側板２０ｂに螺子２１で螺着された板片１９ａ，１９ｂの屈曲された他端側が摺動可能に係合されていたが、例えば、引出体１１の下方に収納部５を横に仕切る仕切板が取り付けてあれば、該仕切板にスライドレール１８ａ，１８ｂを前後摺動可能に取り付けてもよい。
【００３２】
また、前記実施例では、第２の収納部としての補助収納部２３が、第１の収納部としての引出収納部１１’に着脱自在に取付けられているが、例えば、第１の収納部と第２の収納部とを、一枚の底板で構成するとともに、側板で左右に仕切るようにしてもよい。
【００３３】
更に、上記実施例では、キャビネットとしてシステムキッチン１が示されているが、キャビネットは、必ずしもシステムキッチンに限られず、例えば、棚板を備えた陳列棚であっても構わない。
【図面の簡単な説明】
【００３４】
【図１】本発明の実施例におけるシステムキッチンの全体像を示す斜視図である。
【図２】引出体を示す斜視図である。
【図３】図２における引出体を示すＡ−Ａ正面断面図である。
【符号の説明】
【００３５】
１                システムキッチン（キャビネット）
２                シンク部
３                作業スペース
４                コンロ部
５                収納部
６，７            引出収納部
８，９，１０      引出収納部
１１              引出体
１１’            引出収納部（第１の収納部）
１２              引出収納部
１３              底板
１４ａ，１４ｂ    側板
１５              後板
１６              前板
１７              把手
１８ａ            スライドレール（移動支持手段）
１８ｂ            スライドレール（移動支持手段）
１９ａ，１９ｂ    板片
２０ａ            仕切板
２０ｂ            側板
２１              螺子
２２ａ，２２ｂ    フレーム
２３              補助収納部（第２の収納部）
２４              引出用空間（第１の収納空間）
２５              補助用空間（第２の収納空間）
２６              引出体収納空間
２７              ボトル
【図１】
2008245914.tif 000003
【図２】
2008245914.tif 000004
【図３】
2008245914.tif 000005